(57)【要約】【課題】通風路を小さくした場合においても圧力損失が増加することなく、シャッターを回動させるための推進力を得ることを目的とする。【解決手段】筒部５の下方に第１の仕切板１５を設け、第１の仕切板１５に当接しない形状で筒部５の上方を支点に風圧により回動するシャッター１６を設け、シャッター１６の構成は筒部５に垂下された状態で左右に通風路が形成される略三角形状の垂下板１７と、垂下板１７より幅広で垂下板１７の下端部より室外側に向け折り曲げられた折曲板１８と、折曲板１８の反対側に垂下板１７の左右より室内側に向け突出する舌板１９とを設けたことにより、通風路を小さくした場合においても圧力損失が増加することなくシャッターを回動させる換気装置を提供できる。【選択図】図１
2008232489.tif 000002
【特許請求の範囲】
【請求項１】
屋外と室内を連通し、前記室内の壁面に貫通される通風路内に収納される筒部と、前記筒部内と連通し前記室内側に配設されたルーバーと、前記筒部内と連通する位置に設けられるフィルターとを備えた換気装置であって、前記筒部の下方に第１の仕切板を設け、前記仕切板に当接しない形状で前記筒部の上方を支点に風圧により回動するシャッターを設け、前記シャッターの構成は前記筒部内に垂下された状態で左右に通風路が形成される略三角形状の垂下板と、前記垂下板より幅広で前記垂下板の下端部より前記室外側に向け折り曲げられた折曲板と、前記折曲板の反対側に前記垂下板の左右より前記室内側に向け突出する舌板とを設けたことを特徴とする換気装置。
【請求項２】
シャッターに着脱可能なおもりをつけたことを特徴とする請求項１記載の換気装置。
【請求項３】
第１の仕切板の形状は前記シャッターが屋外側から室内側へ傾斜した状態において前記折曲板との傾斜角度が略同一となることを特徴とする請求項１および２に記載の換気装置。
【請求項４】
前記第１の仕切板の下部に穴を設け、前記穴の端面より室内側に前記穴形状と同じ幅もしくは幅広の第２の仕切板を設けたことを特徴とする請求項１から３のいずれかに記載の換気装置。
【発明の詳細な説明】
【技術分野】
【０００１】
本発明は、フィルターを備え、屋外と室内を連通する通風路の室内側に設けられる換気装置に関する。
【背景技術】
【０００２】
従来、この種の換気装置としては、屋外と室内を連通する通風路と室内を連通させるために室内側から設置される換気装置が知られている（例えば、特許文献１参照）。
【０００３】
以下、図５をもとにその構成を説明する。室内壁を貫通し、屋外と室内を連通して形成される換気風路３０と、換気風路と連通し屋内側に配設された屋外から流入する空気を室内に導入する吹出口を形成する本体部３１と、本体部３１の屋外側の上端部を支点に回動するシャッター３３とを備えて構成され、シャッター３３は風圧により傾斜し、本体部３１の開口が変化することで広範囲の風圧に対して風量を一定に保つものである。
【特許文献１】特開２００２−１３０７５８号公報
【発明の開示】
【発明が解決しようとする課題】
【０００４】
このような従来の換気装置では、通風路を小さくしたいという要望に対し広範囲の風圧に対し風量を一定に保つためには、従来技術のシャッター形状では圧力損失抵抗が大きくなるという課題がある。
【０００５】
本発明は、このような従来の課題を解決するものであり、通風路を小さくした場合においても圧力損失が増加することなく、シャッターを回動させるための推進力を得ることを目的とする。
【課題を解決するための手段】
【０００６】
本発明の換気装置は、上記目的を達成するために、屋外と室内を連通し、前記室内の壁面に貫通される通風路内に収納される筒部と、前記筒部内と連通し前記室内側に配設されたルーバーと、前記筒部内と連通する位置に設けられるフィルターとを備えた換気装置であって、前記筒部下方に第１の仕切板を設け、前記仕切板に当接しない形状で前記筒部の上方を支点に風圧により回動するシャッターを設け、前記シャッターの構成は前記筒部内に垂下された状態で左右に通風路が形成される略三角形状の垂下板と、前記垂下板より幅広で前記垂下板の下端部より前記室外側に向け折り曲げられた折曲板と、前記折曲板の反対側に前記垂下板の左右より前記室内側に向け突出する舌板とを設けたものである。
【０００７】
また、他の手段はシャッターに着脱可能なおもりをつけたものである。
【０００８】
また、他の手段は前記第１の仕切板の形状は前記シャッターが屋外側から室内側へ傾斜した状態において前記折曲板との傾斜角度が略同一となるものである。
【０００９】
また、他の手段は、仕切板の下部に穴を設け、前記穴の端面より室内側に前記穴形状と同じ幅もしくは幅広の第２の仕切板を設けたものである。
【発明の効果】
【００１０】
本発明によれば、屋外と室内を連通し、前記室内の壁面に貫通される通風路内に収納される筒部と、前記筒部内と連通し前記室内側に配設されたルーバーと、前記筒部内と連通する位置に設けられるフィルターとを備えた換気装置であって、前記筒部下方に第１の仕切板を設け、前記第１の仕切板に当接しない形状で前記筒部の上方を支点に風圧により回動するシャッターを設け、前記シャッターの構成は前記筒部内に垂下された状態で左右に通風路が形成される略三角形状の垂下板と、前記垂下板より幅広で前記垂下板の下端部より前記室外側に向け折り曲げられた折曲板と、前記折曲板の反対側に前記垂下板の左右より前記室内側に向け突出する舌板とを設けたことを特徴とする換気装置であって、前記シャッターが風圧により傾斜することによって前記筒部の開口面積を変化させ風圧が変化しても通過風量を一定に保つ機能を備えることができ、筒部の内径を小さくした場合においても通気抵抗が増加することなく、前記シャッター回動させる推進力を保つという効果のある換気装置を提供することができる。
【００１１】
また、シャッターに着脱可能なおもりをつけたことにより、おもりの有無で２種類の風量の一定領域を設けることができるという効果のある換気装置を提供することができる。
【００１２】
また、前記第１の仕切板の形状は前記シャッターが屋外側から室内側へ傾斜した状態において前記折曲板との傾斜角度が略同一となることにより、前記折曲板と前記仕切板の間に形成される通風路をスムーズに外気が屋外側から室内側へ導入することができる。
【００１３】
また、仕切板の下部に穴を設け、前記穴の端面より室内側に前記穴形状と同じ幅もしくは幅広の第２の仕切板を設けたことにより、第１の仕切板が設けられた状態においても前記筒内部に雨水が侵入した場合においても屋外の水への排出を可能にすることができるという効果のある換気装置を提供することができる。
【発明を実施するための最良の形態】
【００１４】
本発明の請求項１記載の換気装置は、屋外と室内を連通し、前記室内の壁面に貫通される通風路内に収納される筒部と、前記筒部内と連通し前記室内側に配設されたルーバーと、前記筒部内と連通する位置に設けられるフィルターとを備えた換気装置であって、前記筒部下方に第１の仕切板を設け、前記仕切板に当接しない形状で前記筒部の上方を支点に風圧により回動するシャッターを設け、前記シャッターの構成は前記筒部内に垂下された状態で左右に通風路が形成される略三角形状の垂下板と、前記垂下板より幅広で前記垂下板の下端部より前記室外側に向け折り曲げられた折曲板と、前記折曲板の反対側に前記垂下板の左右より前記室内側に向け突出する舌板とを設けたものであり、風圧によりシャッターを回動させ筒部の開口面積を変えることで風圧が変化しても風量を一定に保つことができ、筒部の内径を小さくした場合においても通気抵抗が増加することなく、支点から距離が離れた場所での風圧を受ける面積が大きいため風圧を受ける面積が減少してもモーメント力が確保できるため、シャッターを容易に室内側に傾斜させることができるという作用を有する。
【００１５】
また、シャッターに着脱可能なおもりをつけたものであり、おもりをつけた状態と外した状態でシャッターの重量が変わるため、同風圧がシャッターに加わった時のシャッターの傾斜角度が変わり、筒部の開口面積の減少率が異なるため一定となる風量域を変えることができるという作用を有する。
【００１６】
また、前記第１の仕切板の形状は前記シャッターが屋外側から室内側へ傾斜した状態において前記折曲板との傾斜角度が略同一となるものであり、前記第１の仕切板と前記折曲板との間の通風路にスムーズに風が流れるため、前記シャッターが傾斜した場合においても前記第１の仕切板の周辺で通気抵抗を増加させる渦の発生などを抑制することができる。
【００１７】
また、第１の仕切板の下部に穴を設け、前記穴の端面より室内側に前記穴形状と同じ幅もしくは幅広の第２の仕切板を設けたものであり、第１の仕切板に設けた穴は水抜き穴であり、筒内部に溜まった雨水を室外側に排出できる。第２の仕切板は屋外側から室内側に導入される風が水抜き穴から流入するのを抑制するため、水抜き穴が追加されたことによる風量の増加を抑えることができるという作用を有する。
【００１８】
以下、本発明の実施の形態について、図面を参照しながら説明する。
【００１９】
（実施の形態１）
本発明の換気装置について、外気の空気を取り入れ、室内側に備えた吹出口から室内に供給する給気端末機器を例にとり説明する。
【００２０】
図１および図２に示すように、換気装置としての給気端末機器の本体１はルーバー２とフレーム３から構成され、建物内の室内側壁面に配設され、室内側を別途設置された換気扇などで負圧にすることで、屋外と室内を連通する通風路４を介して屋外側から外気を室内側へ導入する。通風路４には筒部５が挿入され、筒部５を介して通風路４と連通されたフレーム３にフィルター保持部６が嵌装されており、フレーム３とフィルター保持部６の間には第１の緩衝材７が配設されている。フレーム３とフィルター保持部６により形成された第１の袋形状部９にフィルター８の下端部を挿入し、フレーム上部に設けられたフィルター押え１０にフィルター８の上端部を挿入することで、フィルター８をフレーム３に装着する。フィルター８は外気に混在する花粉やゴミなどを捕集し、花粉やゴミ以外にも外気に混在した雨水などをフィルター８で受け止め、フィルター８に付着した水分は次第に下端部に移動し、第１の袋形状部９に貯水される。
【００２１】
このように本発明の実施の形態の換気装置によれば、ルーバー２が確実に装着されていない場合でも、フィルター８に付着した水分が室内側に滴下するのを防ぐ止水手段はフィルター８が保持されている第１の袋形状部９で完結されているため室内側に雨水が滴下することはない。実施の形態１ではフィルター保持機構部をフレーム３とフィルター保持部６の２パーツに分けツメによる嵌合にて固定しているが、フィルター保持機構部を一体成型しても良い。また、固定方法をツメによる嵌合以外に接着およびネジによる固定方法でも良い。
【００２２】
また、第１の袋形状部９の下方にリブ１１およびリブ１１に押圧される第２の緩衝材１２をルーバー２に設け、前記止水手段の他にもう一つの止水手段を設けた構成とする。
【００２３】
上記構成により、第１の止水手段である第１の袋形状部９から水が染み出た場合においてもその下方に設けたリブ１１とそのリブに押圧された第２の緩衝材１２によって、第２の袋形状部１３が形成されるため、組立や成型のバラツキなどで第１の袋形状部９の隙間から雨水が染み出たとしても第２の止水手段として第２の袋形状部１３により雨水が溜まり、室内側への雨水の滴下を防止することができる。第１の緩衝材７および第２の緩衝材１２は独立発泡素材とすることで、水が緩衝材に染み込むのを防止することができる。
【００２４】
また、図１に示すように筒部５の内周面における底面に、屋外側より室内側の方が高い傾斜部１４を設け、フィルター保持部６は傾斜部１４のよりも高くし、フィルター保持部６の上端部が下端部より室内側に傾斜している構成とする。
【００２５】
上記構成により、第１の袋形状部９に貯水された雨水は屋外側に排水されやすくなり、第１の袋形状部９に貯水される雨水の量を低減できる。また、屋外側から室内側へ空気が導入されているため風速によっては風の影響で第１の袋形状部９に貯水された雨水が室内側へ押し出され屋外側に流れにくくなっている場合においても、フィルター保持部６が止水板の役割を果たし、雨水の室内側への流出を抑え、フィルター８に付着した雨水が室内側に押し出された場合においてもフィルター保持部６の内部に滴下するため、第１の袋形状部９に導入することができる。
【００２６】
また、図１および図３、図４に示すように、筒部５の下方に第１の仕切板１５を設け、第１の仕切板１５に当接しない形状で筒部５の上方を支点に風圧により回動し、筒部５の内部に垂下された状態で、左右に通風路が形成される略三角形状の垂下板１７と、垂下板１７より幅広で垂下板１７の下端部より室外側に向け折り曲げられ第１の仕切板１５との間に通風路が形成される折曲板１８と、折曲板１８の反対側に垂下板１７の左右より室内側に向け突出する舌板１９とを設けたシャッター１６を設けた構成とする。
【００２７】
上記構成によりシャッター１６がほとんど傾斜していない状態では、垂下板１７が垂下された状態で垂下板１７の左右に筒部５との間に略逆三角形状の通風路である通風開口部２３が形成されるため、広い通風面積を確保することができる。また、風圧が高くなるにつれて垂下板１７で風圧を受けてシャッター１６を傾斜させ、傾斜するに従い折曲板１８と舌板１９でシャッター１６が前記通風開口部２３を塞ぎ、風圧に応じて筒部５の開口面積が調整されることで風圧が変化しても風量を一定に保つことができる。
【００２８】
以上のように、風圧を受ける垂下板１７は回動する支点から離れた箇所が略三角形状の底辺部にあたるため、垂下板を長方形や正方形を代表とした矩形の形状で形成した場合に比べて、筒部５の内径を小さくした場合に通風路の面積を確保するためにシャッター１６の面積を小さくしても、風圧を作用させてシャッター１６を回動させるモーメント力は確保することが可能になり、シャッター１６を風圧により容易に傾斜させて風量を保つことができる。
【００２９】
また、シャッター１６に垂下板１７が受ける風圧とそのときのシャッター１６の傾斜角度から設定したおもり２０を着脱可能にしてつけることにより、おもり２０をつけた状態と外した状態でシャッター１６の重量を変え、同風圧におけるシャッター１６の傾斜角度を調整することができ、一定にする風量域をおもりの有無で２種類設定することができる。
【００３０】
また、図１に示すように、第１の仕切板１５の下部に穴２１を設け、穴２１の端面より室内側に穴２１とほぼ同じ幅もしくは幅広の第２の仕切板２２を設けた構成とする。
【００３１】
上記構成により、筒部５に溜まった雨水を穴２１から屋外側に排出できる。第２の仕切板２２は屋外側から室内側へ風が穴２１から流入されるのを抑制し、穴２１が設けられたことによる風の流入量の増加を抑えることができる。
【産業上の利用可能性】
【００３２】
本発明にかかる換気装置は、室内壁側に設けられ、フィルターを必要とする換気端末口、ファンを有する換気扇、空調空気吹出口などに有用である。
【図面の簡単な説明】
【００３３】
【図１】本発明の実施の形態１の換気装置の設置状態を示す断面図
【図２】同換気装置のルーバー着脱した状態を示す正面図
【図３】同換気装置のシャッター垂下状態を示す正面図
【図４】同換気装置のシャッター傾斜状態を示す正面図
【図５】従来の止水手段をもつ換気装置を示す断面図
【符号の説明】
【００３４】
１    本体
２    ルーバー
３    フレーム
５    筒部
８    フィルター
１５  第１の仕切板
１６  シャッター
１７  垂下板
１８  折曲板
１９  舌板
２０  おもり
２１  穴
２２  第２の仕切板
２３  通風開口部
【図１】
2008232489.tif 000003
【図２】
2008232489.tif 000004
【図３】
2008232489.tif 000005
【図４】
2008232489.tif 000006
【図５】
2008232489.tif 000007